(57)【特許請求の範囲】
【請求項１】
コンテンツを識別する識別情報及び前記コンテンツの視聴位置を示す時間情報を含む視聴情報に基づく利用可能情報を受信し、受信した利用可能情報から得た前記視聴情報に関連する関連情報を送信する関連情報送信装置、及び
前記利用可能情報を前記関連情報送信装置へ送信し、前記関連情報を受信する受信装置を備える関連情報送受信システムに含まれる出力装置であって、
前記視聴情報を取得する取得部と、
取得した視聴情報を前記関連情報送信装置が利用可能な利用可能情報に変換する変換部と、
変換して得た利用可能情報を出力する出力部と
を備えることを特徴とする出力装置。
【請求項２】
前記変換部は、暗号化により視聴情報を利用可能情報に変換するようにしてあること
を特徴とする請求項１に記載の出力装置。
【請求項３】
前記取得部は、前記利用可能情報の送信先である前記関連情報送信装置を示す送信先情報を取得し、
出力部は利用可能情報及び送信先情報を出力するようにしてあること
を特徴とする請求項１に記載の出力装置。
【請求項４】
前記変換部は、暗号化により前記視聴情報を利用可能情報に変換するようにしてあること
を特徴とする請求項３に記載の出力装置。
【請求項５】
コンテンツを識別する識別情報及び前記コンテンツの視聴位置を示す時間情報を含む視聴情報に基づく利用可能情報を受信し、受信した利用可能情報から得た前記視聴情報に関連する関連情報を送信する関連情報送信装置、及び
前記視聴情報を前記関連情報送信装置が利用可能な利用可能情報に変換し出力する出力装置を備える関連情報送受信システムに含まれる受信装置であって、
前記出力装置が出力した利用可能情報を取得する利用可能情報取得部と、
取得した利用可能情報を前記関連情報送信装置へ送信する送信部と、
前記視聴情報に基づく関連情報を前記関連情報送信装置から受信する受信部と
を備えることを特徴とする受信装置。
【請求項６】
前記利用可能情報取得部は前記利用可能情報とともに送信先である前記関連情報送信装置を示す送信先情報を取得し、
前記送信部は、前記利用可能情報を前記送信先である前記関連情報送信装置へ送信するようにしてあること
を特徴とする請求項５に記載の受信装置。
【請求項７】
コンテンツを識別する識別情報及び前記コンテンツの視聴位置を示す時間情報を含む視聴情報を利用可能情報に変換し出力する出力装置、及び
前記出力装置が出力した利用可能情報を取得し、取得した利用可能情報を送信する受信装置を備える関連情報送受信システムに含まれる関連情報送信装置であって、
前記視聴情報を自装置が利用可能な情報に変換した利用可能情報を前記受信装置から受信する利用可能情報受信部と、
受信した利用可能情報から前記視聴情報を取得し、取得した視聴情報に基づく関連情報を前記受信装置へ送信する関連情報送信部と
を備えることを特徴とする関連情報送信装置。
【請求項８】
前記視聴情報及び前記関連情報を対応付けた記憶部より、前記視聴情報に関する関連情報を読み込む読込部を備え、
前記関連情報送信部は、前記読込部が読み込んだ前記関連情報を送信するようにしてある
ことを特徴とする請求項７に記載の関連情報送信装置。
【請求項９】
コンテンツを識別する識別情報及び前記コンテンツの視聴位置を示す時間情報を含む視聴情報に基づく利用可能情報を取得し、取得した利用可能情報から得た前記視聴情報に関連する関連情報を送信する関連情報送信装置、及び
前記利用可能情報を前記関連情報送信装置へ送信し、前記関連情報を受信する受信装置を備える関連情報送受信システムに含まれる出力装置に、
前記視聴情報を取得し、
取得した視聴情報を前記関連情報送信装置が利用可能な利用可能情報に変換し、
変換して得た利用可能情報を出力する
処理を行わせること
を特徴とするコンピュータプログラム。
【請求項１０】
コンテンツを識別する識別情報及び前記コンテンツの視聴位置を示す時間情報を含む視聴情報を利用可能情報に変換し出力する出力装置、及び
前記出力装置が出力した利用可能情報を取得し、取得した利用可能情報を送信する受信装置を備える関連情報送受信システムに含まれる関連情報送信装置に、
前記視聴情報を、自身の利用可能な情報に変換された利用可能情報を取得し、
取得した利用可能情報を変換した前記視聴情報を取得し、
前記視聴情報に基づく関連情報を送信する
処理をコンピュータに行わせること
を特徴とするコンピュータプログラム。
【請求項１１】
コンテンツを識別する識別情報及び前記コンテンツの視聴位置を示す時間情報を含む視聴情報を取得する取得部と、
取得した視聴情報を特定の装置が利用可能な利用可能情報に変換する変換部と、
変換して得た利用可能情報を出力する出力部と
を有する出力装置、
該出力装置が出力した利用可能情報を取得する利用可能情報取得部と、
取得した利用可能情報を送信する送信部と、
前記視聴情報に基づく関連情報を受信する受信部と
を有する受信装置、並びに
前記受信装置が送信した利用可能情報を受信する利用可能情報受信部と、
視聴情報及び関連情報を対応付けた記憶部より、受信した利用可能情報から得た視聴情報に関する関連情報を読み込む読込部と、
読み込んだ前記関連情報を前記受信装置に送信する関連情報送信部と
を有する関連情報送信装置
を備えることを特徴とする関連情報送受信システム。
【発明の詳細な説明】
【技術分野】
【０００１】
本発明は、映像又は音楽等のコンテンツの再生状況を示す再生情報や、放送番組の視聴行動に関する情報を出力する出力装置等に関する。
【背景技術】
【０００２】
従来、放送番組やコンテンツの視聴者は、番組やコンテンツに興味がある人物、背景、物体、音声等のオブジェクトが含まれている場合、それらのオブジェクトについて関連する情報を得るのは困難であった。そのような問題に対して、視聴している番組のメタデータを視聴者に提供するシステムが提案されている（特許文献１）。また、ストリーム映像データをキャプチャするともに、映像データにＱＲコード（登録商標）が含まれていた場合、映像データの付加情報として、キャプチャデータと対応付けて記憶する装置が提案されている（特許文献２）。
【先行技術文献】
【特許文献】
【０００３】
【特許文献１】特許第５１３２６００号公報
【特許文献２】特許第４５７７０８５号公報
【発明の概要】
【発明が解決しようとする課題】
【０００４】
特許文献１に記載のシステムによれば、視聴者は、得られたメタデータを検索語として検索を行なうことにより、番組に関連する情報を得ることが可能である。しかし、得られるメタデータは番組に対して付与されているものであるため、視聴者が番組の特定シーンのみに登場したオブジェクトに興味を持った場合においては、得られたメタデータが、視聴者が興味を持ったオブジェクトに関連する情報を得るために適した検索語とは限らない。また、特許文献２に記載の装置においても、ＱＲコードにより提供される付加情報が、視聴者が興味を持ったオブジェクトに関連する情報とは限らない。
【０００５】
本発明は斯かる事情に鑑みてなされたものであり、その目的とするところは、視聴者が興味を持ったオブジェクトに関連する情報の取得を支援するため、視聴者が興味を持った映像シーン又はフレームを特定するための情報を出力する出力装置等の提供を目的とする。
【課題を解決するための手段】
【０００６】
本発明に係る出力装置は、コンテンツを識別する識別情報及び前記コンテンツの視聴位置を示す時間情報を含む視聴情報に基づく利用可能情報を受信し、受信した利用可能情報から得た前記視聴情報に関連する関連情報を送信する関連情報送信装置、及び前記利用可能情報を前記関連情報送信装置へ送信し、前記関連情報を受信する受信装置を備える関連情報送受信システムに含まれる出力装置であって、前記視聴情報を取得する取得部と、取得した視聴情報を前記関連情報送信装置が利用可能な利用可能情報に変換する変換部と、変換して得た利用可能情報を出力する出力部とを備えることを特徴とする。
【０００７】
本発明に係る出力装置は、前記変換部は、暗号化により視聴情報を利用可能情報に変換するようにしてあることを特徴とする。
【０００８】
本発明に係る出力装置は、前記取得部は、前記利用可能情報の送信先である前記関連情報送信装置を示す送信先情報を取得し、出力部は利用可能情報及び送信先情報を出力するようにしてあることを特徴とする。
【０００９】
本発明に係る出力装置は、前記変換部は、暗号化により前記視聴情報を利用可能情報に変換するようにしてあることを特徴とする。
【００１０】
本発明に係る受信装置は、コンテンツを識別する識別情報及び前記コンテンツの視聴位置を示す時間情報を含む視聴情報に基づく利用可能情報を受信し、受信した利用可能情報から得た前記視聴情報に関連する関連情報を送信する関連情報送信装置、及びコンテンツを識別する識別情報及び前記コンテンツの視聴位置を示す時間情報を含む視聴情報を前記関連情報送信装置が利用可能な利用可能情報に変換し出力する出力装置を備える関連情報送受信システムに含まれる受信装置であって、前記出力装置が出力した利用可能情報を取得する利用可能情報取得部と、取得した利用可能情報を前記関連情報送信装置へ送信する送信部と、前記視聴情報に基づく関連情報を前記関連情報送信装置から受信する受信部とを備えることを特徴とする。
【００１１】
本発明に係る受信装置は、前記利用可能情報取得部は前記利用可能情報とともに送信先である前記関連情報送信装置を示す送信先情報を取得し、前記送信部は、前記利用可能情報を前記送信先である前記関連情報送信装置へ送信するようにしてあることを特徴とする。
【００１２】
本発明に係る関連情報送信装置は、コンテンツを識別する識別情報及び前記コンテンツの視聴位置を示す時間情報を含む視聴情報を利用可能情報に変換し出力する出力装置、及び前記出力装置が出力した利用可能情報を取得し、取得した利用可能情報を送信する受信装置を備える関連情報送受信システムに含まれる関連情報送信装置であって、前記視聴情報を自装置が利用可能な情報に変換した利用可能情報を前記受信装置から受信する利用可能情報受信部と、受信した利用可能情報から前記視聴情報を取得し、取得した視聴情報に基づく関連情報を前記受信装置へ送信する関連情報送信部とを備えることを特徴とする。
【００１３】
本発明に係る関連情報送信装置は、前記視聴情報及び前記関連情報を対応付けた記憶部より、前記視聴情報に関する関連情報を読み込む読込部を備え、前記関連情報送信部は、前記読込部が読み込んだ前記関連情報を送信するようにしてあることを特徴とする。
【００１４】
本発明に係るコンピュータプログラムは、コンテンツを識別する識別情報及び前記コンテンツの視聴位置を示す時間情報を含む視聴情報に基づく利用可能情報を取得し、取得した利用可能情報から得た前記視聴情報に関連する関連情報を送信する関連情報送信装置、及び
前記利用可能情報を前記関連情報送信装置へ送信し、前記関連情報を受信する受信装置を備える関連情報送受信システムに含まれる出力装置に、前記視聴情報を取得し、取得した視聴情報を前記関連情報送信装置が利用可能な利用可能情報に変換し、変換して得た利用可能情報を出力する処理をコンピュータに行わせることを特徴とする。
【００１５】
本発明に係るコンピュータにプログラムは、コンテンツを識別する識別情報及び前記コンテンツの視聴位置を示す時間情報を含む視聴情報を利用可能情報に変換し出力する出力装置、及び前記出力装置が出力した利用可能情報を取得し、取得した利用可能情報を送信する受信装置を備える関連情報送受信システムに含まれる関連情報送信装置に、前記視聴情報を、自身の利用可能な情報に変換された利用可能情報を取得し、取得した利用可能情報を変換した前記視聴情報を取得し、前記視聴情報に基づく関連情報を送信する処理をコンピュータに行わせることを特徴とする。
【００１６】
本発明に係る関連情報送受信システムは、コンテンツを識別する識別情報及び前記コンテンツの視聴位置を示す時間情報を含む視聴情報を取得する取得部と、取得した視聴情報を特定の装置が利用可能な利用可能情報に変換する変換部と、変換して得た利用可能情報を出力する出力部とを有する出力装置、該出力装置が出力した利用可能情報を取得する利用可能情報取得部と、取得した利用可能情報を送信する送信部と、前記視聴情報に基づく関連情報を受信する受信部とを有する受信装置、並びに前記受信装置が送信した利用可能情報を受信する利用可能情報受信部と、視聴情報及び関連情報を対応付けた記憶部より、受信した利用可能情報から得た視聴情報に関する関連情報を読み込む読込部と、読み込んだ前記関連情報を前記受信装置に送信する関連情報送信部とを有する関連情報送信装置を備えることを特徴とする。
【発明の効果】
【００１７】
本発明にあっては、識別情報及び時間情報より、視聴者が興味を持ったシーンを特定することが可能となる。
【図面の簡単な説明】
【００１８】
【図１】関連情報配信システムの構成例を示す説明図である。
【図２】コンテンツ再生装置のハードウェア構成の一例示すブロック図である。
【図３】関連情報利用装置及び関連情報提供装置のハードウェア構成の一例を示すブロック図である。
【図４】関連情報データベースのレコードレイアウトの一例を示す説明図である。
【図５】コンテンツＩＤ検索テーブルのレコードレイアウトの一例を示す説明図である。
【図６】利用可能情報出力処理の手順を示すフローチャートである。
【図７】関連情報取得処理の手順を示すフローチャートである。
【図８】関連情報送信処理の手順を示すフローチャートである。
【図９】送信先情報データベースのレコードレイアウトの一例を示す説明図である。
【図１０】実施の形態３に係る関連情報配信システムの構成例を示す説明図である。
【図１１】管理装置のハードウェア構成の一例を示すブロック図である。
【図１２】配信サイトデータベースのレコードレイアウトの一例を示す説明図である。
【図１３】実施の形態３に係る関連情報取得処理の手順を示すフローチャートである。
【図１４】関連情報転送処理の手順を示すフローチャートである。
【図１５】リダイレクト回数計数データベースのレコードレイアウトの一例を示す説明図である。
【図１６】実施の形態４に係る関連情報転送処理の手順を示すフローチャートである。
【図１７】実施の形態５に係る関連情報データベースのレコードレイアウトの一例を示す説明図である。
【図１８】実施の形態５に係る関連情報送信処理の手順を示すフローチャートである。
【発明を実施するための形態】
【００１９】
実施の形態１
以下実施の形態を、図面を参照して説明する。説明に先立ち、用語の説明を行う。まず、関連情報配信システムで用いられる視聴情報について説明する。視聴情報とは、コンテンツを識別する識別情報とコンテンツの視聴位置を示す時間情報とを含む。識別情報はコンテンツが識別可能なものであればよく、映画であれば、タイトル、制作会社、製作年の組み合わせが識別情報となりうる。また、映画が収録されているＤＶＤ商品に付与されたＪＡＮコードを識別情報として用いても良い。テレビ番組ではあれば、放送日、放送時間、放送局の組み合わせが識別情報となりうる。時間情報とはコンテンツ内での位置を示す情報であればよく、コンテンツの冒頭を０とするタイムコードなどである。
【００２０】
次に、関連情報配信システムで言うところの関連情報について、説明する。関連情報とはコンテンツに関連する情報である。例えば、ドラマのワンシーンに対する関連情報の例としては、映っている役者の氏名、生年月日などのプロフィール、身につけているアクセサリーの情報、背景に映っている製品に関する情報などである。グルメ番組などで料理をクローズアップしているシーンであれば、料理名、料理のレシピや食材、料理が提供される飲食店の情報、料理が盛りつけられている食器に関する情報などである。関連情報配信システムでは、視聴情報としてコンテンツの識別情報に加えて、時間情報を含めている。そのため、映像コンテンツで言えば、あるシーンにしか映らず、背景として目立たなく映っているものについても関連情報として含め、ユーザは取得可能となる。
【００２１】
次に、利用可能情報について説明する。利用可能情報とは、関連情報配信システムを構成する機器又は関連情報配信システムの運営者より承認を得た機器のみで利用可能である情報を示す。利用可能情報の一例としては、上述の視聴情報を符号化した情報や、暗号化した情報である。視聴情報は第三者にみだりに公開すべきではないプライバシーに関わる情報であることや、運営者にとっては有用なマーケティングデータであるため、装置間で視聴情報をやり取りする場合は、利用可能情報に変換し、やり取りを行う。利用可能情報には視聴情報だけでなく、関連情報を得るために視聴情報を送信する送信先となる装置の識別情報、例えば、関連情報提供装置を識別するＩＰ（Ｉｎｔｅｒｎｅｔ  Ｐｒｏｔｏｃｏｌ）アドレス、ＵＲＬ（Ｕｎｉｆｏｒｍ  Ｒｅｓｏｕｒｃｅ  Ｌｏｃａｔｏｒ）を含んでも良い。
【００２２】
以上を踏まえて、関連情報配信システムについての説明を行う。図１は関連情報配信システム（関連情報送受信システム）の構成例を示す説明図である。関連情報配信システムは、コンテンツ再生装置（出力装置）１、表示装置２、関連情報利用装置（受信装置）３、関連情報提供装置（関連情報送信装置）４を含む。各構成は通信網Ｎで互いに通信可能に接続されている。
【００２３】
コンテンツ再生装置１は、ＢＤ（Ｂｌｕ−ｒａｙ（登録商標）  Ｄｉｓｃ）、ＤＶＤに記録された映像や音声を再生し、出力するＢＤプレイヤ、ＤＶＤプレイヤなどである。コンテンツ再生装置１はＣＤ（Ｃｏｍｐａｃｔ  Ｄｉｓｃ）プレイヤでもよく、その場合、再生されるコンテンツはＣＤに記録されている音楽などである。
【００２４】
表示装置２はテレビジョン受信機、液晶表示装置、プロジェクタなど、外部から入力された映像を表示出力する装置である。なお、ＢＤドライブ内蔵テレビジョン受信機などのように、コンテンツ再生装置１と表示装置２が一体化していてもよい。
【００２５】
関連情報利用装置３は、スマートフォンで、携帯電話、ＰＤＡ（Ｐｅｒｓｏｎａｌ  Ｄｉｇｉｔａｌ  Ａｓｓｉｓｔａｎｔ）、タブレット端末であり、通信網Ｎに接続可能な装置である。
【００２６】
関連情報提供装置４は、例えば、サーバコンピュータである。関連情報提供装置４は利用可能情報又は視聴情報を受信し、視聴情報と対応付けられた関連情報を送信する。関連情報提供装置４の機能をクラウドサービスとして提供してもよい。
【００２７】
図２はコンテンツ再生装置１のハードウェア構成の一例を示すブロック図である。コンテンツ再生装置１はＣＰＵ（Ｃｅｎｔｒａｌ  Ｐｒｏｃｅｓｓｉｎｇ  Ｕｎｉｔ）１１、記憶部１２、ＲＡＭ（Ｒａｎｄｏｍ  Ａｃｃｅｓｓ  Ｍｅｍｏｒｙ）１３、受信部１４、インターフェイス１５、チューナ１６、計時部１７、ＨＤＤ１８１、ＢＤドライブ１８２を含む。コンテンツ再生装置１の各部はバスＢにより互いに接続されている。
【００２８】
ＣＰＵ１１は記憶部１２に記憶されたプログラム１２Ｐに従いハードウェア各部を制御する。
【００２９】
記憶部１２は例えばハードディスク又はＳＳＤ（Ｓｏｌｉｄ  Ｓｔａｔｅ  Ｄｒｉｖｅ）である。記憶部１２はプログラム１２Ｐなど、ＣＰＵ１１が処理を行う際に必要とする種々のデータを記憶する。
【００３０】
ＲＡＭ１３は、例えばＳＲＡＭ（Ｓｔａｔｉｃ  ＲＡＭ）、ＤＲＡＭ（Ｄｙｎａｍｉｃ  ＲＡＭ）、フラッシュメモリである。ＲＡＭ１３はＣＰＵ１１によるプログラム１２Ｐの実行時に発生するデータを一時的に記憶する。
【００３１】
受信部１４はリモートコントローラ（以下、「リモコン」）が送信した信号を受信する。当該信号は、視聴者がリモコンを操作することにより送信される。ＣＰＵ１１は受信部１４が受信した信号に応じた処理を行う。
【００３２】
チューナ１６は図示しないアンテナと接続され、アンテナを通じてテレビジョン放送信号を受信する。ＣＰＵ１１は受信した放送信号をチューナ１６から取得し、取得した放送信号をデコードすることにより映像信号、音声信号を取り出す。ＣＰＵ１１は取り出した映像信号、音声信号を、ＨＤＤ１８１に記憶する。
【００３３】
インターフェイス１５は、例えばＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）又はＣＥＣ（Ｃｏｎｓｕｍｅｒ  Ｅｌｅｃｔｒｏｎｉｃｓ  Ｃｏｎｔｒｏｌ）の規格に従った制御データを表示装置２の間で送受信する。計時部１７は現在日時を計時しており、ＣＰＵ１１の要求に従って、現在日時を返信する。ＨＤＤ（Ｈａｒｄ  Ｄｉｓｋ  Ｄｒｉｖｅ）１８１は、チューナ１６を介して得た、テレビジョン放送の映像信号、音声信号を記憶する。ＢＤドライブ１８２は、ＢＤへのデータの書き込み、ＢＤからのデータの読み込みを行う。
【００３４】
図３は関連情報利用装置３及び関連情報提供装置４のハードウェア構成の一例を示すブロック図である。関連情報利用装置３はＣＰＵ３１、記憶部３２、ＲＡＭ３３、入力部３４、表示部３５、通信部３６、撮像部３７を含む。ＣＰＵ３１、ＲＡＭ３３の機能などは、上述のコンテンツ再生装置１のＣＰＵ１１及びＲＡＭ１３と同様であるので、説明を省略する。
【００３５】
記憶部３２は例えばハードディスク又はＳＳＤである。記憶部３２はプログラム３２Ｐ、ＣＰＵ１１はプログラム３２Ｐを実行する際に必要とする種々のデータを記憶する。
【００３６】
入力部３４はタッチパネル等の入力デバイスであり、視聴者による操作入力を受付け、受付けた操作入力情報をＣＰＵ３１へ出力する。表示部３５は例えば液晶表示パネルであり、画像の表示を行う。通信部３６は例えば携帯電話用通信モジュールや無線ＬＡＮ（Ｌｏｃａｌ  Ａｒｅａ  Ｎｅｔｗｏｒｋ）カードであり、通信網Ｎを介して関連情報提供装置４と通信を行う。
【００３７】
撮像部３７は例えばＣＭＯＳ（Ｃｏｍｐｌｅｍｅｎｔａｒｙ  ＭＯＳ）カメラやＣＣＤ（Ｃｈａｒｇｅ−Ｃｏｕｐｌｅｄ  Ｄｅｖｉｃｅ）カメラである。
【００３８】
関連情報提供装置４はＣＰＵ４１、記憶部４２、ＲＡＭ４３、通信部４４を含む。ＣＰＵ４１、ＲＡＭ４３は、上述のコンテンツ再生装置１のＣＰＵ１１及びＲＡＭ１３と同様であるので、説明を省略する。
【００３９】
記憶部４２は例えばハードディスク又はＳＳＤである。記憶部４２はプログラム４２Ｐ、関連情報データベース（関連情報ＤＢ）４２１など、ＣＰＵ１１が処理を行う際に必要とする種々のデータを記憶する。
【００４０】
通信部４４は例えば有線又は無線ＬＡＮカードである。通信部４４は通信網Ｎを介して関連情報利用装置３と通信を行う。
【００４１】
次に、関連情報配信システムおいて使用されるデータベースについて説明する。図４は関連情報データベース４２１のレコードレイアウトの一例を示す説明図である。関連情報データベース４２１は関連情報提供装置４の記憶部４２に記憶する。それに限らず、関連情報データベース４２１は、関連情報提供装置４がアクセス可能な他の装置に記憶されていてもよい。関連情報データベース４２１は、コンテンツＩＤ列、タイムコード列、関連情報列を含む。コンテンツＩＤ列は、コンテンツを一意に特定する値を記憶する。タイムコード列は、シーン毎にシーンの開始タイムコードと終了タイムコードとを記憶する。例えば、１：０４：５９．１０は、１時間４分５９秒１０フレームを示す。関連情報列は、シーンに対応した関連情報を記憶する。なお、１シーンに対応する関連情報は複数でも良い。また、関連情報の内容は、関連情報を提供者がシーンに関連すると考えるものであれば、何でも良い。
【００４２】
図５はコンテンツＩＤ検索テーブル４２２のレコードレイアウトの一例を示す説明図である。コンテンツＩＤ検索テーブル４２２は関連情報提供装置４の記憶部４２に記憶する。コンテンツＩＤ検索テーブル４２２はコンテンツＩＤ列、種別列、タイトル列、巻数列、制作列、製作年列、放送日列、放送回列を含む。コンテンツＩＤ列は、コンテンツを一意に特定する値を記憶する。コンテンツＩＤは関連情報データベース４２１に記憶されるコンテンツＩＤと対応するものである。種別列はコンテンツの種別を記憶する。種別は例えば、ＤＶＤソフトの場合はＤＶＤ、テレビ番組の場合は番組が記憶される。制作列はコンテンツの制作者を記憶する。制作年列はコンテンツの制作年を記憶する。放送日は番組の放送日を記憶する。放送回列は番組の放送回を記憶する。コンテンツの種別が番組の時のみ放送日及び放送回を記憶する。
【００４３】
続いて、関連情報配信システムにおける処理について説明する。図６は利用可能情報出力処理の手順を示すフローチャートである。利用可能情報出力処理は、コンテンツ再生装置１が行う処理である。コンテンツ再生装置１のＣＰＵ１１はコンテンツを読み込む（ステップＳ１１）。コンテンツはＢＤに記録されたコンテンツをＢＤドライブ１８２から読み込む、又はＨＤＤ１８１に記録された録画番組を読み込む。ＣＰＵ１１は読み込んだコンテンツを再生する（ステップＳ１２）。コンテンツは表示装置２より出力される。ＣＰＵ１１は利用可能情報の表示指示がされたか否かを判定する（ステップＳ１３）。利用可能情報の表示指示は、視聴者がリモコンの所定のボタンを押すことにより行う。ボタンが押されたことにより、リモコンから送信された信号が、受信部１４に受信される。ＣＰＵ１１は受信された信号が表示指示に割り当てられたボタンによる信号か否かを判定することにより、表示指示されたか否かを判定する。ＣＰＵ１１は表示指示されていないと判定した場合（ステップＳ１３でＮＯ）、ステップＳ１３を繰り返し実行する。ＣＰＵ１１は表示指示されたと判定した場合（ステップＳ１３でＹＥＳ）、指示をされたフレームのタイムコード（時間情報）を取得する（ステップＳ１４）。ＣＰＵ１１は、どのフレームの利用可能情報を表示しているか視聴者が確認できるように、再生コンテンツの表示画面に、サムネイル画面をオーバーレイ表示し、サムネイル画面内またはサムネイル画面の近くに利用可能情報を表示しても良い。また、コンテンツの再生が一時停止された時のみに利用可能情報が表示されるようにしても良い。さらにまた、表示指示がされたら再生を一時停止してから、利用可能情報を表示してもよい。ＣＰＵ１１はコンテンツの識別情報を取得する（ステップＳ１５）。ＣＰＵ１１は取得したタイムコード、識別情報を利用可能情報に変換する（ステップＳ１６）。利用可能情報への変換は、所定の符号化規則を用いた符号化や、公開鍵暗号方式による暗号など、種々の方式が採用可能である。ＣＰＵ１１は送信先情報を読み込む（ステップＳ１７）。送信先情報は予め記憶部３２等に記憶しておく。送信先情報は、例えばＵＲＬである。ＵＲＬは関連情報提供装置４と対応する。関連情報提供装置４は、Ｗｅｂサービスにより関連情報を提供する。ＣＰＵ１１は利用可能情報及び送信先情報を出力し（ステップＳ１８）、処理を終了する。例えば、利用可能情報及び送信先情報をＱＲコードとして出力する。ＱＲコードは図１に示すように、表示装置２のコンテンツ表示画面に重畳して表示する。
【００４４】
上述において、利用可能情報に変換するのは、視聴情報、すなわち識別情報及びタイムコードとしたが、それに限らない。視聴情報及び送信先情報を利用可能情報に変換してもよい。
【００４５】
次に、利用可能情報を用いた関連情報の取得処理について説明する。図７は関連情報取得処理の手順を示すフローチャートである。関連情報取得処理は、関連情報利用装置３が行う処理である。関連情報利用装置３のＣＰＵ３１は利用可能情報及び送信先情報を取得する（ステップＳ２１）。具体的には、コンテンツ再生装置１が表示装置２に表示させたＱＲコードを、視聴者が撮像部３７により撮像し、撮像したＱＲコードより、ＣＰＵ３１は利用可能情報及び送信情報を取得する。ＣＰＵ３１は取得した利用可能情報を送信先情報で示された送信先に送信する（ステップＳ２２）。送信先は上述したように関連情報提供装置４である。ＣＰＵ３１は関連情報を送信先である関連情報提供装置４より受信する（ステップＳ２３）。ＣＰＵ３１は受信した関連情報を表示部３５に表示し（ステップＳ２４）、処理を終了する。
【００４６】
なお、コンテンツ再生装置１において、視聴情報及び送信先情報を利用可能情報に変換している場合は、関連情報利用装置３は、利用可能情報を視聴情報及び送信先情報に復号化する。続いて、視聴情報のみを利用可能情報に変換し、変換した利用可能情報を送信先に送信する。
【００４７】
続いて、関連情報送信処理について説明する。図８は関連情報送信処理の手順を示すフローチャートである。関連情報送信処理は、関連情報提供装置４が行う処理である。関連情報提供装置４は関連情報利用装置３より、利用可能情報を受信する（ステップＳ３１）。ＣＰＵ４１は受信した利用可能情報を復号し、視聴情報を取得する（ステップＳ３２）。ＣＰＵ４１は視聴情報に含まれるコンテンツの識別情報を検索キーとして、コンテンツＩＤ検索テーブル４２２を検索し、検索にヒットしたレコードよりコンテンツＩＤを読み込む（ステップＳ３３）。ＣＰＵ４１は取得したコンテンツＩＤ、視聴情報に含まれるタイムコードを検索キーとして関連情報データベース４２１を検索し、検索にヒットしたレコードより関連情報を読み込む（ステップＳ３４）。ＣＰＵ４１は関連情報を関連情報利用装置３に送信し（ステップＳ３５）、処理を終了する。
【００４８】
実施の形態１は、次の効果を奏する。関連情報提供装置４は視聴情報（コンテンツを識別する識別情報と視聴位置を示すタイムコードとを含む）を符号化又は暗号化した利用可能情報を、関連情報利用装置３より受信する。関連情報提供装置４は、利用可能情報より視聴情報を取得し、それらに基づいて関連情報を関連情報利用装置３に送信する。それにより、コンテンツのフレームごとに関連情報を用意し、関連情報を視聴者に提供することが可能となる。また、コンテンツ再生装置１は、視聴情報を符号化又は暗号化した利用可能情報を表示し、利用可能情報を関連情報利用装置３に取得させる。関連情報利用装置３は、利用可能情報を関連情報提供装置４に送信するので、万が一、利用可能情報が漏洩した場合であっても、第３者が視聴情報を取得することは困難である。
【００４９】
実施の形態２
実施の形態２は、関連情報提供装置４が複数ある形態に関する。すなわち、利用可能情報の送信先が複数ある形態である。図９は送信先情報データベース１２１のレコードレイアウトの一例を示す説明図である。送信先情報データベース１２１はコンテンツ再生装置１の記憶部１２に記憶する。送信先情報データベース１２１は、利用可能情報の送信先を示す情報を記憶するデータベースである。送信先情報データベース１２１は送信先ＩＤ列、送信先名列、ＵＲＬ列を含む。送信先ＩＤ列は主キーであり、送信先を一意に特定できる値を記憶する。送信先名列は送信先名称を記憶する。ＵＲＬ列は送信先を示すＵＲＬを記憶する。ここでは、ＵＲＬは関連情報提供装置４と対応する。関連情報提供装置４は、Ｗｅｂサービスにより関連情報を提供する。
【００５０】
実施の形態２における処理について説明する。以下の説明においては、実施の形態１と異なる点を主に説明する。図６に示した利用可能情報出力処理におけるステップＳ１７の送信先情報の読み込みは、送信先情報データベース１２１より行われる。送信先情報が複数読み込まれた場合は、ステップＳ１８での送信先情報を出力では、複数の送信先情報が出力される。なお、利用可能情報及び送信先情報をＱＲコードで出力する場合には、ＱＲコードとして表現可能なデータ量に制限があるので、すべての送信先情報を出力できないときは、出力する送信先情報を絞り込んでもよい。例えば、複数の送信先について、予め視聴者に優先順位付けをさせておき、絞り込むときは、優先順位の高いものからデータ量が許す範囲で、送信先情報を選択してもよい。
【００５１】
図７に示した関連情報取得処理においては、ステップＳ２２では、複数の送信先（関連情報提供装置４に利用可能情報が送信される。その結果、ステップＳ２３では、複数の送信先から関連情報を受信する。ステップＳ２４では、複数の関連情報を一覧表示する。一覧表示にあたっては、送信先ごとにグループ表示をしてもよい。また、関連情報の先頭部分を見出しとして一覧表示し、視聴者が１つの関連情報を選択すると、選択された関連情報を全文表示するようにしてよい。
【００５２】
送信先情報が複数ある場合であっても、出力する送信先情報を１つとしてもよい。このとき、視聴者が予め１つの送信先を選択しておき、選択した送信先に係る送信先情報が、コンテンツ再生装置１より出力されてもよい。また、送信先情報が複数ある場合であっても、すべての送信先情報を表示するのではなく、視聴者に選択させてもよい。例えば、利用可能情報の表示指示がされた都度、送信先情報を一覧表示し、視聴者に出力する送信先を１又は複数、選択させてもよい。
【００５３】
実施の形態２は以下の効果を奏する。関連情報提供装置４を複数として、それに伴い送信先情報も複数となるので、１つのコンテンツの１つのフレームに対応する様々な関連情報を得ることが可能となる。
【００５４】
実施の形態３
実施の形態３は送信先を管理する管理装置を設ける形態に関する。図１０は実施の形態３に係る関連情報配信システムの構成例を示す説明図である。関連情報配信システムは、コンテンツ再生装置１、表示装置２、関連情報利用装置３、複数の関連情報提供装置４Ａ、４Ｂ…、管理装置５を含む。なお、複数の関連情報提供装置４Ａ、４Ｂ…は、それぞれ担う機能は同様であるので、以下の説明においては関連情報提供装置４と記載する。また、コンテンツ再生装置１、表示装置２、関連情報利用装置３、関連情報提供装置４の機能、構成などは、実施の形態１と同様であるので、説明を省略する。
【００５５】
管理装置５は、関連情報利用装置３から利用可能情報を受信し、受信した利用可能情報を関連情報提供装置４に振り分ける役割を担う。図１１は管理装置５のハードウェア構成の一例を示すブロック図である。管理装置５はＣＰＵ５１、記憶部５２、ＲＡＭ５３、通信部５４を含む。ＣＰＵ５１、ＲＡＭ５３、通信部５４の機能などは、上述の関連情報提供装置４のＣＰＵ４１、ＲＡＭ４３、通信部４４と同様であるので、説明を省略する。記憶部５２は、例えばハードディスク又はＳＳＤである。記憶部５２はプログラム５２Ｐ、配信サイトデータベース（配信サイトＤＢ）５２１など、ＣＰＵ５１が処理を行う際に必要とする種々のデータを記憶する。
【００５６】
図１２は配信サイトデータベース５２１のレコードレイアウトの一例を示す説明図である。配信サイトデータベース５２１はＷｅｂサイトとして機能する関連情報提供装置４についてのデータベースである。配信サイトデータベース５２１はサイトＩＤ列、送信先名列、提供者ＩＤ列、ＵＲＬ列、ジャンル列を含む。サイトＩＤ列は主キーであり、配信サイトを一意に特定するＩＤを記憶する。送信先名列は関連情報提供装置４により実現されているＷｅｂサイトの名称を記憶する。提供者ＩＤ列は関連情報提供装置４により関連情報を提供する提供者のＩＤを記憶する。ＵＲＬ列は配信サイトにアクセするためのＵＲＬを記憶する。ジャンル列は配信サイトのジャンルを記憶する。
【００５７】
図１３は実施の形態３に係る関連情報取得処理の手順を示すフローチャートである。関連情報取得処理は、関連情報利用装置３が行う処理である。実施の形態３においては、関連情報取得処理を行うためのプログラム３２Ｐは、関連情報提供装置４の提供者から提供されているものとする。プログラム３２Ｐは提供者を示す提供者ＩＤ、関連情報提供装置４へ暗号化されたデータ送信するための暗号鍵を含んでいる。
関連情報利用装置３のＣＰＵ３１は利用可能情報及び送信先情報を取得する（ステップＳ２１）。実施の形態３においては、送信先は関連情報提供装置４を示すものではなく、管理装置５を示すものである。管理装置５は一意に決まるので、プログラム３２Ｐに送信先情報を含めても良い。ＣＰＵ３１は暗号鍵を用いて、利用可能情報を暗号化する（ステップＳ２５）。ＣＰＵ３１は暗号化した利用可能情報及び提供者ＩＤを送信先情報で指定されている管理装置５に送信する（ステップＳ２６）。ＣＰＵ３１は関連情報を関連情報提供装置４より受信する（ステップＳ２３）。関連情報提供装置４は提供者ＩＤと対応する装置である。ＣＰＵ３１は受信した関連情報を表示部３５に表示し（ステップＳ２４）、処理を終了する。
【００５８】
次に、管理装置５が行う処理について説明する。図１４は関連情報転送処理の手順を示すフローチャートである。管理装置５のＣＰＵ５１は通信部５４を介して、関連情報利用装置３から、利用可能情報、提供者ＩＤを受信する（ステップＳ４１）。ＣＰＵ５１は提供者ＩＤに対応する配信サイト、すなわち関連情報提供装置４のＵＲＬを配信サイトデータベース５２１より取得する（ステップＳ４２）。ＣＰＵ５１は取得したＵＲＬで示される関連情報提供装置４へ、リダイレクトさせる（ステップＳ４３）。このとき、利用可能情報は関連情報提供装置４へ転送される。リダイレクトされることにより、関連情報利用装置３は関連情報提供装置４と通信を行い、関連情報を取得可能となる。なお、関連情報提供装置４で行われる関連情報送信処理は、図８に示した処理とほぼ同様である。異なる点は次のとおりである。関連情報提供装置４のＣＰＵ４１は暗号化された利用可能情報を受信する（ステップＳ３１）。ＣＰＵ４１は暗号化された利用可能情報を復号化する。そして、復号化した利用可能情報を更に復号して、視聴情報を取得する（ステップＳ３２）。以降は、同様である。
【００５９】
なお、関連情報利用装置３は取得した利用可能情報を暗号化するとしたが、それに限らない。利用可能情報を視聴情報に復号化した後に、視聴情報を暗号化し、それを利用可能情報として、管理装置５へ送信してもよい。この場合、リダイレクトされた関連情報提供装置４は、暗号化された利用可能情報を復号し視聴情報を取得する。
【００６０】
実施の形態３においては、次の効果を奏する。関連情報利用装置３で動作するプログラム３２Ｐは、関連情報提供装置４と対応付けられており、利用可能情報を暗号化して管理装置５に送信し、管理装置５は暗号化された利用可能情報を関連情報提供装置４にリダイレクトするので、視聴情報を関連情報提供装置４以外で利用されてしまうリスクが低くなる。
【００６１】
なお、関連情報利用装置３で動作するプログラム３２Ｐは複数の関連情報提供装置４に対応してもよい。その場合、プログラム３２Ｐは関連情報提供装置４毎の暗号鍵及び提供者ＩＤを備える。また、利用可能情報を管理装置５に送信するときに、どの関連情報提供装置４より提供を受けるか、視聴者に選択させる。選択にあたっては、配信サイトデータベース５２１のジャンル列の値にしたがい、関連情報提供装置４（配信サイト）を分類して表示すれば、視聴者の選択の助けとなる。
【００６２】
実施の形態４
実施の形態４は、管理装置５が行うリダイレクトの回数を関連情報提供装置４毎に計数を行う形態に関する。図１５はリダイレクト回数計数データベース５２２のレコードレイアウトの一例を示す説明図である。リダイレクト回数計数データベース５２２は、サイトＩＤ列、リダイレクト回数列を含む。サイトＩＤ列は、関連情報提供装置４が提供する配信サイトのＩＤを記憶する。リダイレクト回数列は、管理装置５が関連情報利用装置３から受信した利用可能情報をリダイレクトした回数を関連情報提供装置４毎に計数した値を記憶する。
【００６３】
図１６は実施の形態４に係る関連情報転送処理の手順を示すフローチャートである。ステップＳ４１からステップＳ４３については、図１４に示した関連情報転送処理と同様であるので、説明を省略する。管理装置５のＣＰＵ５１は提供者ＩＤと対応付けられたサイトＩＤを配信サイトデータベース５２１より取得し、リダイレクト回数計数データベース５２２において、取得したサイトＩＤに対応したリダイレクト回数列の値を１、インクリメントする（ステップＳ４４）。
【００６４】
実施の形態４は以下の効果を奏する。管理装置５はリダイレクトの回数を関連情報提供装置４毎に計数するので、各関連情報提供装置４のアクセス頻度を評価することが可能となる。また、上述のように、視聴情報は従来提供されていなかった情報であり、マーケティングデータとしては価値あるものである。そのような観点から、リダイレクト回数により、関連情報提供装置４を運営する提供者に課金することが可能となる。
【００６５】
実施の形態５
実施の形態５は関連情報の取得回数を計数する形態に関する。図１７は実施の形態５に係る関連情報データベース４２１のレコードレイアウトの一例を示す説明図である。関連情報データベース４２１はコンテンツＩＤ列、タイムコード列、関連情報列、取得回数列を含む。コンテンツＩＤ列、タイムコード列、関連情報列は、実施の形態１に係る関連情報データベース４２１（図４参照）と同様であるので、説明を省略する。取得回数列は、関連情報が読み出された回数、即ち取得された回数の計数値を記憶する。
【００６６】
図１８は実施の形態５に係る関連情報送信処理の手順を示すフローチャートである。図１８において、ステップＳ３１からステップＳ３５は実施の形態１の処理（図８）と同様であるので、説明を省略する。関連情報提供装置４のＣＰＵ４１は関連情報を関連情報利用装置３に送信したら、送信した関連情報に係る関連情報データベース４２１の取得回数を１、インクリメントする（ステップＳ３６）。
【００６７】
実施の形態５は以下の効果を奏する。関連情報の取得回数を計数するので、取得回数により、視聴者が関心を持つシーンや関連情報はどのようなものであるかを推測することが可能となる。そして、それに基づき、映画やテレビ番組に広告製品や広告企業のロゴマークを登場させるプロダクトプレイスメントの効果を計測又は予測することが可能となる。
【００６８】
上述の実施形態においては、コンテンツとして映像を含むものを前提に説明したが、それに限らない。ＣＤ（Ｃｏｍｐａｃｔ  Ｄｉｓｃ）、ラジオ番組、有線放送などの音声のみのコンテンツでも実現可能である。ＣＤの場合のコンテンツ識別情報については、インタネットで提供されているＣＤＤＢ（登録商標：Ｃｏｍｐａｃｔ  Ｄｉｓｃ  ＤａｔａＢａｓｅ）を用いて、聴取されているＣＤを特定することが可能である。
【００６９】
また、上述の実施形態において、コンテンツ再生装置１は利用可能情報及び送信先情報をＱＲコードにして表示装置２に出力し、表示装置２は当該ＱＲコードを表示画面に表示する。そして、関連情報利用装置３は、撮像部３７によりＱＲコードを撮像し、利用可能情報及び送信情報を取得するとした。しかし、関連情報利用装置３が利用可能情報及び送信先情報を取得するための手段は、これらに限らない。公知の可視光通信、赤外線通信、超音波通信、又はＢｌｕｅｔｏｏｔｈ（登録商標）やＷｉ−Ｆｉダイレクトの近距離無線通信などを用いて、関連情報利用装置３は、利用可能情報及び送信先情報を表示装置２より取得してもよい。さらにまた、関連情報利用装置３は、表示装置２を介してではなく、コンテンツ再生装置１より、直接、利用可能情報及び送信情報を取得してもよい。
【００７０】
本発明に係る出力装置１は、コンテンツを識別する識別情報及びコンテンツの視聴位置を示す時間情報を含む視聴情報を取得する取得部と、取得した視聴情報を特定の装置が利用可能な利用可能情報に変換する変換部と、変換して得た利用可能情報を出力する出力部とを備えることを特徴とする。
【００７１】
本発明にあっては、コンテンツを識別する識別情報及びコンテンツの視聴位置を示す時間情報を含む視聴情報より得た利用可能情報を出力するので、利用可能情報より得られる識別情報及び時間情報から、視聴者が興味を持ったシーンを特定することが可能となる。
【００７２】
本発明に係る出力装置１は、前記変換部は、暗号化により視聴情報を利用可能情報に変換するようにしてあることを特徴とする。
【００７３】
本発明にあっては、利用可能情報は視聴情報を暗号化したものであるので、第三者によって利用可能情報が取得されても、視聴者のプライバシーを保護することが可能である。
【００７４】
本発明に係る出力装置は、前記取得部は、前記利用可能情報の送信先を示す送信先情報を取得し、出力部は利用可能情報及び送信先情報を出力するようにしてあることを特徴とする。
【００７５】
本発明にあっては、視聴情報を送信すべき送信先情報を取得するので、利用可能情報を取得した装置は、視聴情報を送信先情報で示される送信先に送信することで、関連情報を取得可能となる。
【００７６】
本発明に係る出力装置１は、前記変換部は、暗号化により前記視聴情報を利用可能情報に変換するようにしてあることを特徴とする。
【００７７】
本発明にあっては、利用可能情報は視聴情報を暗号化したものであるので、第三者によって利用可能情報が取得されても、視聴者のプライバシーを保護することが可能である。
【００７８】
本発明に係る受信装置３は、コンテンツを識別する識別情報及びコンテンツの視聴位置を示す時間情報を含む視聴情報を、自身の利用可能な情報に変換された利用可能情報を取得する利用可能情報取得部と、取得した利用可能情報を変換した前記視聴情報を送信する送信部と、前記視聴情報に基づく関連情報を受信する受信部とを備えることを特徴とする。
【００７９】
本発明にあっては、利用可能情報を変換した視聴情報を送信する送信部と、視聴情報に基づく関連情報を受信する受信部とを備えることにより、関連情報の取得が可能となる。
【００８０】
本発明に係る受信装置３は、前記受信部は前記関連情報とともに送信先を示す送信先情報を受信し、前記送信部は、前記視聴情報を前記送信先に送信するようにしてあることを特徴とする。
【００８１】
本発明にあっては、視聴情報を送信すべき送信先情報を受信するので、受信装置３は、視聴情報を送信先情報で示される送信先に送信することで、関連情報を取得可能となる。
【００８２】
本発明に係る関連情報送信装置４は、コンテンツを識別する識別情報及びコンテンツの視聴位置を示す時間情報を含む視聴情報を利用可能な情報に変換した利用可能情報を取得する受信装置２から、前記利用可能情報を変換して得た視聴情報を受信する視聴情報受信部と、受信した視聴情報に基づく関連情報を送信する関連情報送信部とを備えることを特徴とする。
【００８３】
本発明にあっては、利用可能情報を変換して得た視聴情報を受信する視聴情報受信部と、受信した視聴情報に基づく関連情報を送信する関連情報送信部とを備えることので、関連情報を取得可能となる。
【００８４】
本発明に係る関連情報送信装置４は、前記視聴情報及び前記関連情報を対応付けた記憶部より、前記視聴情報に関する関連情報を読み込む読込部を備え、前記関連情報送信部は、前記読込部が読み込んだ前記関連情報を送信するようにしてあることを特徴とする。
【００８５】
本発明にあっては、視聴情報及び関連情報を対応付けた記憶部より関連情報を取得するので、視聴情報から容易に関連情報を取得することが可能である。
【００８６】
本発明に係るコンピュータプログラムは、コンテンツを識別する識別情報及びコンテンツの視聴位置を示す時間情報を含む視聴情報を取得し、取得した視聴情報を特定の装置が利用可能な利用可能情報に変換し、変換して得た利用可能情報を出力する処理をコンピュータに行わせることを特徴とする。
【００８７】
本発明にあっては、コンテンツを識別する識別情報及びコンテンツの視聴位置を示す時間情報を含む視聴情報より得た利用可能情報を出力するので、利用可能情報より得られる識別情報及び時間情報から、視聴者が興味を持ったシーンを特定することが可能となる。
【００８８】
本発明に係るコンピュータプログラムは、コンテンツを識別する識別情報及びコンテンツの視聴位置を示す時間情報を含む視聴情報を、自身の利用可能な情報に変換された利用可能情報を取得し、取得した利用可能情報を変換した前記視聴情報を送信し、前記視聴情報に基づく関連情報を受信する処理をコンピュータに行わせることを特徴とする。
【００８９】
本発明にあっては、利用可能情報を変換して得た視聴情報を受信し、受信した視聴情報に基づく関連情報を送信するので、関連情報を取得可能となる。
【００９０】
本発明に係る関連情報送受信システムは、コンテンツを識別する識別情報及びコンテンツの視聴位置を示す時間情報を含む視聴情報を取得する取得部と、取得した視聴情報を特定の装置が利用可能な利用可能情報に変換する変換部と、変換して得た利用可能情報を出力する出力部とを有する出力装置１、該出力装置が出力した利用可能情報を取得する利用可能情報取得部と、取得した利用可能情報を変換してなる視聴情報を送信する送信部と、前記視聴情報に基づく関連情報を受信する受信部とを有する受信装置３、並びに前記受信装置が送信した視聴情報を受信する視聴情報受信部と、視聴情報及び関連情報を対応付けた記憶部より、受信した視聴情報に関する関連情報を読み込む読込部と、読み込んだ前記関連情報を前記受信装置に送信する関連情報送信部とを有する関連情報送信装置４を備えることを特徴とする。
【００９１】
本発明にあっては、視聴情報に対応した関連情報を取得可能である。
【００９２】
各実施の形態で記載されている技術的特徴（構成要件）はお互いに組み合わせ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００９３】
１      コンテンツ再生装置（出力装置）
１１    ＣＰＵ
１２    記憶部
１２１  送信先情報データベース
１２Ｐ  プログラム
１３    ＲＡＭ
１４    受信部
１５    インターフェイス
１６    チューナ
１７    計時部
１８１  ＨＤＤ
１８２  ＢＤドライブ
２      表示装置
３      関連情報利用装置（受信装置）
３１    ＣＰＵ
３２    記憶部
３２Ｐ  プログラム
３３    ＲＡＭ
３４    入力部
３５    表示部
３６    通信部
３７    撮像部
４      関連情報提供装置（関連情報送信装置）
４１    ＣＰＵ
４２    記憶部
４２１  関連情報データベース
４２２  コンテンツＩＤ検索テーブル
４２Ｐ  プログラム
４３    ＲＡＭ
４４    通信部
５      管理装置
５１    ＣＰＵ
５２    記憶部
５２１  配信サイトデータベース
５２２  リダイレクト回数計数データベース
５２Ｐ  プログラム
５３    ＲＡＭ
５４    通信部
【図１】
0006653953.tif 000002
【図２】
0006653953.tif 000003
【図３】
0006653953.tif 000004
【図４】
0006653953.tif 000005
【図５】
0006653953.tif 000006
【図６】
0006653953.tif 000007
【図７】
0006653953.tif 000008
【図８】
0006653953.tif 000009
【図９】
0006653953.tif 000010
【図１０】
0006653953.tif 000011
【図１１】
0006653953.tif 000012
【図１２】
0006653953.tif 000013
【図１３】
0006653953.tif 000014
【図１４】
0006653953.tif 000015
【図１５】
0006653953.tif 000016
【図１６】
0006653953.tif 000017
【図１７】
0006653953.tif 000018
【図１８】
0006653953.tif 000019